【手続補正書】
【提出日】平成20年9月16日(2008.9.16)
【手続補正１】
【補正対象書類名】特許請求の範囲
【補正対象項目名】全文
【補正方法】変更
【補正の内容】
【特許請求の範囲】
【請求項１】
マトリクス状に配列された少なくとも２色以上の表示色を持つ有機発光素子群と、
各前記有機発光素子群に対応して設けられた各画素回路と、
前記画素回路を駆動する駆動回路とを備え、
前記駆動回路は、
第１期間に第１の電圧を前記画素回路に印加し、
前記第１期間に続く第２期間にプリチャージ電流を前記画素回路に印加するものであり、
前記第２期間の長さは表示階調もしくは前記表示色の少なくとも一方によって異なること、を特徴とする有機発光素子を用いたアクティブマトリクス型表示装置。
【請求項２】
前記第１の電圧は、黒表示を行うのに相当する電圧である、請求項１記載の有機発光素子を用いたアクティブマトリクス型表示装置。
【請求項３】
前記第１の電圧は、黒表示時に前記有機発光素子群に流れる電流が０．１カンデラ／平方メートル以下の輝度となる電流に対応する電圧に調整されて印加されることを特徴とする、請求項１記載の有機発光素子を用いたアクティブマトリクス型表示装置。
【請求項４】
周囲温度によって変化する前記有機発光素子群に流れる電流が、前記周囲温度によらず一定となるよう前記第１の電圧を変化させる温度補償素子を備えたことを特徴とする請求項１記載の有機発光素子を用いたアクティブマトリクス型表示装置。
【請求項５】
周囲温度を検出する温度検出手段と、
前記温度検出手段が検出した前記周囲温度により前記第１の電圧を変化させることが可能な前記第１の電圧発生手段とを備えたことを特徴とする、請求項１記載の有機発光素子を用いたアクティブマトリクス型表示装置。
【請求項６】
前記有機発光素子群のうち、表示階調が黒表示に対応した電流値である有機発光素子において、前記第２期間の長さは０になることを特徴とする、請求項１記載の有機発光素子を用いたアクティブマトリクス型表示装置。
【請求項７】
前記第２期間は、予め前記駆動回路で準備される複数のパルス長にそれぞれ対応した第２期間群より選択される、請求項１記載の有機発光素子を用いたアクティブマトリクス型表示装置。
【手続補正２】
【補正対象書類名】明細書
【補正対象項目名】発明の名称
【補正方法】変更
【補正の内容】
【発明の名称】有機発光素子を用いたアクティブマトリクス型表示装置
【手続補正３】
【補正対象書類名】明細書
【補正対象項目名】０００１
【補正方法】変更
【補正の内容】
【０００１】
本発明は、例えば、有機発光素子を用いたアクティブマトリクス型表示装置に関する。
【手続補正４】
【補正対象書類名】明細書
【補正対象項目名】００２８
【補正方法】変更
【補正の内容】
【００２８】
第１の本発明は、マトリクス状に配列された少なくとも２色以上の表示色を持つ有機発光素子群と、
各前記有機発光素子群に対応して設けられた各画素回路と、
前記画素回路を駆動する駆動回路とを備え、
前記駆動回路は、
第１期間に第１の電圧を前記画素回路に印加し、
前記第１期間に続く第２期間にプリチャージ電流を前記画素回路に印加するものであり、
前記第２期間の長さは表示階調もしくは前記表示色の少なくとも一方によって異なること、を特徴とする有機発光素子を用いたアクティブマトリクス型表示装置である。
又、第２の本発明は、前記第１の電圧は、黒表示を行うのに相当する電圧である、第１の本発明の有機発光素子を用いたアクティブマトリクス型表示装置である。
又、第３の本発明は、前記第１の電圧は、黒表示時に前記有機発光素子群に流れる電流が０．１カンデラ／平方メートル以下の輝度となる電流に対応する電圧に調整されて印加されることを特徴とする、第１の本発明の有機発光素子を用いたアクティブマトリクス型表示装置である。
又、第４の本発明は、周囲温度によって変化する前記有機発光素子群に流れる電流が、前記周囲温度によらず一定となるよう前記第１の電圧を変化させる温度補償素子を備えたことを特徴とする第１の本発明の有機発光素子を用いたアクティブマトリクス型表示装置である。
又、第５の本発明は、周囲温度を検出する温度検出手段と、
前記温度検出手段が検出した前記周囲温度により前記第１の電圧を変化させることが可能な第１の電圧発生手段とを備えたことを特徴とする、第１の本発明の有機発光素子を用いたアクティブマトリクス型表示装置である。
又、第６の本発明は、前記有機発光素子群のうち、表示階調が黒表示に対応した電流値である有機発光素子において、前記第２期間の長さは０になることを特徴とする、第１の本発明の有機発光素子を用いたアクティブマトリクス型表示装置である。
又、第７の本発明は、前記第３期間は、予め前記駆動回路で準備される複数のパルス長にそれぞれ対応した第３期間群より選択される、第１の本発明の有機発光素子を用いた表示装置である。
又、本発明に関連する第１の発明は、マトリクス状に配列された自己発光素子と、各前記自己発光素子に対応して設けられた各画素回路とを有する自己発光型表示装置の駆動方法であって、
前記各画素回路に、表示階調に対応した階調電流を第１期間にわたり印加する工程と、前記第１期間に引き続く第２期間に前記自己発光素子に前記階調電流に基づく表示電流を印加して、対応する前記表示階調を表示させる工程と、所定の第１条件に基づき、前記第１期間より前の第３期間に前記自己発光素子にプリチャージ電流を印加する工程とを備えた、自己発光型表示装置の駆動方法である。
【手続補正５】
【補正対象書類名】明細書
【補正対象項目名】００２９
【補正方法】変更
【補正の内容】
【００２９】
また、本発明に関連する第２の発明は、前記第３期間は、前記自己発光素子に印加される表示電流を与える表示階調に対応して可変されるものである、第１の発明の自己発光型表示装置の駆動方法である。
【手続補正６】
【補正対象書類名】明細書
【補正対象項目名】００３０
【補正方法】変更
【補正の内容】
【００３０】
また、本発明に関連する第３の発明は、前記マトリクスの同一列上における、所定行の前記自己発光素子が行った表示の表示階調に対応した電流値と前記所定行の次の行の前記自己発光素子が行う表示の表示階調に対応した電流値とを比較し、
前記所定の第１条件として、それら電流値の差分が所定の値以上の場合、前記次の行の表示の際、前記第３期間に、前記次の行の前記自己発光素子にプリチャージ電流を印加する、第１の発明の自己発光型表示装置の駆動方法である。
【手続補正７】
【補正対象書類名】明細書
【補正対象項目名】００３１
【補正方法】変更
【補正の内容】
【００３１】
また、本発明に関連する第４の発明は、前記第３期間は、前記差分の大きさに応じて可変されるものである、第３の発明の自己発光型表示装置の駆動方法である。
【手続補正８】
【補正対象書類名】明細書
【補正対象項目名】００３２
【補正方法】変更
【補正の内容】
【００３２】
また、本発明に関連する第５の発明は、前記マトリクスの同一列上における、所定行の前記自己発光素子が行った表示の表示階調に対応した電流値と前記所定行の次の行の前 記自己発光素子が行う表示の表示階調に対応した電流値とを比較し、前記所定の第１条件として、それら電流値の差分が所定の値より小さい場合、前記次の行の 前記自己発光素子の表示の際、前記プリチャージ電流の印加を行わない、第１または第３の発明の自己発光型表示装置の駆動方法である。
【手続補正９】
【補正対象書類名】明細書
【補正対象項目名】００３３
【補正方法】変更
【補正の内容】
【００３３】
また、本発明に関連する第６の発明は、前記所定の第１条件として、前記自己発光素子が行う表示の表示階調が黒表示に対応した電流値である場合は、その表示の際、前記プリチャージ電流の印加を行わない、第１の発明の自己発光型表示装置の駆動方法である。
【手続補正１０】
【補正対象書類名】明細書
【補正対象項目名】００３４
【補正方法】変更
【補正の内容】
【００３４】
また、本発明に関連する第７の発明は、前記プリチャージ電流の値は、白表示するのに相当する電流値である、第１の発明の自己発光型表示装置の駆動方法である。
【手続補正１１】
【補正対象書類名】明細書
【補正対象項目名】００３５
【補正方法】変更
【補正の内容】
【００３５】
また、本発明に関連する第８の発明は、前記第３期間は、予め駆動回路で準備される複数のパルス長にそれぞれ対応した第３期間群より選択される、第１の発明の自己発光型表示装置の駆動方法である。
【手続補正１２】
【補正対象書類名】明細書
【補正対象項目名】００３６
【補正方法】変更
【補正の内容】
【００３６】
また、本発明に関連する第９の発明は、所定の第２条件に基づき、前記第３期間より前の第４期間に、前記自己発光素子に所定の電圧を印加する工程をさらに備えた、第１の発明の自己発光型表示装置の駆動方法である。
【手続補正１３】
【補正対象書類名】明細書
【補正対象項目名】００３７
【補正方法】変更
【補正の内容】
【００３７】
また、本発明に関連する第１０の発明は、前記マトリクスの同一列上における、所定行の前記自己発光素子が行った表示の表示階調に対応した電流値と前記所定行の次の行の前記自己発光素子が行う表示の表示階調に対応した電流値とを比較し、前記所定の第２条件として、それら電流値の差分が所定の値以上の場合、前記次の行の前記自己発光素子の表示の際、前記第４期間に前記次の行の前記自己発光素子に前記所定の電圧を印加する、第９の発明の自己発光型表示装置の駆動方法である。 
【手続補正１４】
【補正対象書類名】明細書
【補正対象項目名】００３８
【補正方法】変更
【補正の内容】
【００３８】
また、本発明に関連する第１１の発明は、前記所定の第２条件として、前記自己発光素子が行う表示の表示階調が黒表示に対応した電流値である場合は、その表示の際、前記第４期間に前記自己発光素子に前記所定の電圧を印加する、第９の発明の自己発光型表示装置の駆動方法である。 
【手続補正１５】
【補正対象書類名】明細書
【補正対象項目名】００３９
【補正方法】変更
【補正の内容】
【００３９】
また、本発明に関連する第１２の発明は、前記所定の電圧は、前記自己発光素子が最後に行った表示の際に印加した電流値に相当した電圧と等しいか、低階調色表示するのに相当する電圧である、第９の発明の自己発光型表示装置の駆動方法である。 
【手続補正１６】
【補正対象書類名】明細書
【補正対象項目名】００４０
【補正方法】変更
【補正の内容】
【００４０】
また、本発明に関連する第１３の発明は、前記第１電圧は黒表示を行うのに相当する電圧である、第１２の発明の有機発光素子を用いた自己発光型表示装置の駆動方法である。 
【手続補正１７】
【補正対象書類名】明細書
【補正対象項目名】００４１
【補正方法】変更
【補正の内容】
【００４１】
また、本発明に関連する第１４の発明は、マトリクス状に配列された自己発光素子と、各前記自己発光素子に対応して設けられた各画素回路とを有し、前記各画素回路に、表示階調に対応した階調電流を第１期間にわたり印加し、前記第１期間に引き続く第２期間に前記自己発光素子に前記階調電流に基づく表示電流を印加して、対応する前記表示階調を表示させる自己発光型表示装置の表示制御装置であって、
所定の第１条件に基づき前記第１期間より前の第３期間に前記自己発光素子にプリチャージ電流を印加するプリチャージ電流印加手段を備えた、自己発光型表示装置の表示制御装置である。
【手続補正１８】
【補正対象書類名】明細書
【補正対象項目名】００４２
【補正方法】変更
【補正の内容】
【００４２】
また、本発明に関連する第１５の発明は、前記第３期間は、前記自己発光素子に印加される表示電流を与える表示階調に対応して可変されるものである、第１４の発明の自己発光型表示装置の表示制御装置である。 
【手続補正１９】
【補正対象書類名】明細書
【補正対象項目名】００４３
【補正方法】変更
【補正の内容】
【００４３】
また、本発明に関連する第１６の発明は、前記マトリクスの同一列上における、所定行の前記自己発光素子が行った表示の表示階調に対応した電流値と前記所定行の次の行の 前記自己発光素子が行う表示の表示階調に対応した電流値とを比較し、前記所定の第１条件として、それら電流値の差分が所定の値以上の場合、前記次に行う表 示の際、前記第３期間に、前記次の行の前記自己発光素子にプリチャージ電流を印加する、第１４の発明の自己発光型表示装置の表示制御装置である。 
【手続補正２０】
【補正対象書類名】明細書
【補正対象項目名】００４４
【補正方法】変更
【補正の内容】
【００４４】
また、本発明に関連する第１７の発明は、前記第３期間は、前記差分の大きさに応じて可変されるものである、第１６の発明の自己発光型表示装置の表示制御装置である。 
【手続補正２１】
【補正対象書類名】明細書
【補正対象項目名】００４５
【補正方法】変更
【補正の内容】
【００４５】
また、本発明に関連する第１８の発明は、前記マトリクスの同一列上における、所定行の前記自己発光素子が行った表示の表示階調に対応した電流値と前記所定行の次の行の前記自己発光素子が行う表示の表示階調に対応した電流値とを比較し、前記所定の第１条件として、それら電流値の差分が所定の値より小さい場合、前記次の行の前記自己発光素子の表示の際、前記プリチャージ電流の印加を行わない、第１４または第１６の発明の自己発光型表示装置の表示制御装置である。 
【手続補正２２】
【補正対象書類名】明細書
【補正対象項目名】００４６
【補正方法】変更
【補正の内容】
【００４６】
また、本発明に関連する第１９の発明は、前記所定の第１条件として、前記自己発光素子が行う表示の表示階調が黒表示に対応した電流値である場合は、その表示の際、前記プリチャージ電流の印加を行わない、第１４の発明の自己発光型表示装置の表示制御装置である。
【手続補正２３】
【補正対象書類名】明細書
【補正対象項目名】００４７
【補正方法】変更
【補正の内容】
【００４７】
また、本発明に関連する第２０の発明は、前記プリチャージ電流の値は、白表示するのに相当する電流値である、第１４の発明の自己発光型表示装置の表示制御装置である。 
【手続補正２４】
【補正対象書類名】明細書
【補正対象項目名】００４８
【補正方法】変更
【補正の内容】
【００４８】
また、本発明に関連する第２１の発明は、マトリクス状に配列された自己発光素子と、各前記自己発光素子に対応して設けられた各画素回路とを有し、前記各画素回路に、表示階調に対応した階調電流を第１期間にわたり印加し、前記第１期間に引き続く第２期間に前記自己発光素子に前記階調電流に基づく表示電流を印加して、対応する前記表示階調を表示させる自己発光型表示装置であって、所定の第１条件に基づき前記第１期間より前の第３期間に前記自己発光素子にプリチャージ電流を印加する自己発光型表示装置の電流出力型駆動回路であって、
時間長の異なる複数の前記第３期間を同時に発生させる第３期間発生手段を備えた、自己発光型表示装置の電流出力型駆動回路である。 
【手続補正２５】
【補正対象書類名】明細書
【補正対象項目名】００４９
【補正方法】変更
【補正の内容】
【００４９】
また、本発明に関連する第２２の発明は、前記複数の第３期間は、前記プリチャージ電流を印加する時のパルス長により生成される、第２１の発明の自己発光型表示装置の電流出力型駆動回路である。 
【手続補正２６】
【補正対象書類名】明細書
【補正対象項目名】００５０
【補正方法】変更
【補正の内容】
【００５０】
また、本発明に関連する第２３の発明は、電流出力型ソースドライバ回路として用いられる、第２１の発明の自己発光型表示装置の電流出力型駆動回路である。 
【手続補正２７】
【補正対象書類名】明細書
【補正対象項目名】００５１
【補正方法】変更
【補正の内容】
【００５１】
また、本発明に関連する第２４の発明は、マトリクス状に配列された自己発光素子と、
各前記自己発光素子に対応して設けられた各画素回路と、
前記自己発光素子および前記画素回路を駆動する駆動回路とを備え、
前記駆動回路として、第２１の発明の電流出力型駆動回路を、少なくとも１以上有する、自己発光型表示装置である。 
【手続補正２８】
【補正対象書類名】明細書
【補正対象項目名】００５２
【補正方法】変更
【補正の内容】
【００５２】
また、本発明に関連する第２５の発明は、マトリクス状に配列された自己発光素子と、
各前記自己発光素子に対応して設けられた各画素回路と、
第１４の発明の自己発光型表示装置の表示制御装置と、第２１の発明の自己発光型表示装置の電流出力型駆動回路とを備え、
前記表示制御装置が、前記プリチャージ電流の印加に関する動作を実行する、自己発光型表示装置である。 
【手続補正２９】
【補正対象書類名】明細書
【補正対象項目名】００５３
【補正方法】変更
【補正の内容】
【００５３】
また、本発明に関連する第２６の発明は、前記自己発光素子は、有機ＥＬ素子である、第２４または第２５の発明の自己発光型表示装置である。 
【手続補正３０】
【補正対象書類名】明細書
【補正対象項目名】００５４
【補正方法】変更
【補正の内容】
【００５４】
また、本発明に関連する第２７の発明は、第２６の発明の自己発光型表示装置を表示手段として備えた、電子機器である。 
【手続補正３１】
【補正対象書類名】明細書
【補正対象項目名】００５５
【補正方法】変更
【補正の内容】
【００５５】
また、本発明に関連する第２８の発明は、テレビとして用いられる、第２１の発明の電子機器である。 
【手続補正３２】
【補正対象書類名】明細書
【補正対象項目名】００５６
【補正方法】変更
【補正の内容】
【００５６】
また、本発明に関連する第２９の発明は、第１の発明の、自己発光型表示装置の駆動方法の、前記各画素回路に、表示階調に対応した階調電流を第１期間にわたり印加する工程と、前記第１期間に引き続く第２期間に前記自己発光素子に前記階調電流に基づく表示電流を印加して、対応する前記表示階調を表示させる工程と、所定の第１条件に基づき、前記第１期間より前の第３期間に前記自己発光素子にプリチャージ電流を印加する工程とをコンピュータに実行させるためのプログラムである。 
【手続補正３３】
【補正対象書類名】明細書
【補正対象項目名】００５７
【補正方法】変更
【補正の内容】
【００５７】
また、本発明に関連する第３０の発明は、第２９の発明のプログラムを記録した記録媒体であって、コンピュータにより処理可能な記録媒体である。